(57)【要約】【課題】所望の深さや大きさの凹部を有する立体形状に変形させて使用することができる吸収性物品を提供すること。【解決手段】第１面１１及び第２面１２を有し、第１面１１側に吸収層２１、第２面１２側に防漏層２２を有するシート状の吸収性物品１であって、第１面１１側を内側にして二つ折りされているか、第１面１１側を内側にして二つ折りするための二つ折り誘導線３１を有しており、二つ折りしたときの折り部３の長手方向Ｘの一端３ａに位置する角部４ａに、該角部４ａの頂点４１ａからの距離が相異なる複数の角部折り誘導線Ｌを有しており、前記角部４ａを、複数の角部折り誘導線Ｌａのうちの任意の角部折り誘導線Ｌａに沿って折り曲げ可能であり、且つ折り曲げた角部４ａを、相対向する部位の第２面１２上に固定する固定手段５を備えている。【選択図】図１
2020171439.tif 000002
【特許請求の範囲】
【請求項１】
第１面及び第２面を有し、第１面側に吸収層、第２面側に防漏層を有するシート状の吸収性物品であって、
第１面側を内側にして二つ折りされているか、又は第１面側を内側にして二つ折りするための二つ折り誘導線を有しており、
二つ折りしたときの折り部の長手方向の一端に位置する角部に、該角部の頂点からの距離が相異なる複数の角部折り誘導線を有しており、前記角部を、複数の角部折り誘導線のうちの任意の角部折り誘導線に沿って折り曲げ可能であり、且つ折り曲げた前記角部を、相対向する部位の第２面上に固定する固定手段を備えている、吸収性物品。
【請求項２】
前記折り部の長手方向の他端側に位置する角部に、前記一端に位置する角部における前記角部折り誘導線及び前記固定手段と同様の、複数の角部折り誘導線及び固定手段が設けられている、請求項１に記載の吸収性物品。
【請求項３】
前記他端に位置する角部おける前記角部折り誘導線は、前記一端に位置する角部における前記角部折り誘導線に比して、各角部の頂点から、該頂点から最も離れた前記角部折り誘導線までの距離が短い、請求項２に記載の吸収性物品。
【請求項４】
前記他端に位置する角部における複数の前記角部折り誘導線は、前記一端に位置する角部における複数の前記角部折り誘導線に比して、前記角部折り誘導線どうし間の間隔が狭い、請求項２又は３に記載の吸収性物品。
【請求項５】
前記他端に位置する角部における前記角部折り誘導線は、前記一端に位置する角部における前記角部折り誘導線に比して、前記角部折り誘導線の前記折り部に対する傾斜角度が小さい、請求項２〜４の何れか１項に記載の吸収性物品。
【請求項６】
前記吸収性物品における前記折り部の長手方向の他端側が、着用者の腹側に配する側であることを示す表示を有する、請求項２〜５の何れか１項に記載の吸収性物品。
【請求項７】
第２面に、前記吸収性物品を衣類に固定可能な粘着部が設けられており、該粘着部の一部が、前記固定手段として機能する、請求項１〜６の何れか１項に記載の吸収性物品。
【請求項８】
前記吸収性物品は、前記折り部の長手方向の一端側における幅方向の長さが、前記他端側における該幅方向の長さに比して大きい、請求項１〜７の何れか１項に記載の吸収性物品。
【発明の詳細な説明】
【技術分野】
【０００１】
本発明は、吸収性物品に関する。
【背景技術】
【０００２】
下着の内側又は使い捨ておむつの内側に、立体形状に変形した状態に配置され、主として尿の吸収に用いられる吸収性物品が知られている。例えば特許文献１には、吸収体の長手方向の両外側にフラップ部を有する吸収性物品本体が、幅方向の中心線に沿って透液性表面シートを内側として折り返されており、且つ前側のフラップ部における前記幅方向の中心線を含む部分同士が互いに接合されている使い捨て吸収性物品が記載されている。特許文献１の使い捨て吸収性物品は、透液性表面シート側に、フラップ部同士の接合部を端部に有する立体的な窪みを形成した状態で使用可能である。
【０００３】
特許文献２には、吸収層及びその上に位置する外側の層を有する男性用の衛生パッドが記載されており、該衛生パッドは、長円形に似た形状を有し、周囲に、Ｖ字状の切れ込みを備えている。特許文献２の衛生パッドは、使用時に、体温の下着の形状の影響の下に、パッドのふちが持ち上がり、シェル形（鉢形）の窪みが形成される。
【０００４】
使用者の体に取り付けて用いられる吸収性物品も知られている。例えば特許文献３には、吸収性シートを綴じ合わせた構造の冊子本状積層体よりなり、かつ、該冊子本状積層体の複数の開き面が吸収性シートの吸収性面よりなる男性用軽失禁パッドが記載されている。
【０００５】
また特許文献４には、液体透過性トップシート、液体不透過性バックシート及び前記トップシートと前記バックシートとの中間にある吸収性コアを備えた使い捨て吸収体が記載されている。特許文献４の使い捨て吸収体は、使用前に女性の解剖学的構造の複雑な体の形状に合わせるための三次元構造を備えている。
【先行技術文献】
【特許文献】
【０００６】
【特許文献１】特開２００５−３２９２１８号公報
【特許文献２】特表２００２−５２３１３９号公報
【特許文献３】特開２０１０−２７３７７５号公報
【特許文献４】特表２００２−５３４１６２号公報
【発明の概要】
【発明が解決しようとする課題】
【０００７】
特許文献１に記載された吸収性物品においては、フラップ部どうしを接合して形成された接合部は、吸収性物品本体に対して略垂直な方向に沿って立ち上がり、吸収性物品本体の前側の幅方向両側部に立体的な防漏壁が形成され、これら防漏壁の内部には、サック状の空間部が形成される。しかしながら、その空間部は、吸収性物品本体の前側が、フラップ部どうしを接合して形成された接合部で閉塞されており、その接合部の位置を、吸収性物品の長手方向において変化させることができないため、吸収性物品を立体形状としたときのサック状の空間部の深さや大きさを変えることは困難である。特許文献２〜４に記載された吸収性物品においても、立体形状に成形した凹部の深さや大きさ変化させることは困難である。
【０００８】
本発明の課題は、前述した従来技術が有する欠点を解消し得る吸収性物品を提供することにある。
【課題を解決するための手段】
【０００９】
本発明は、第１面及び第２面を有し、第１面側に吸収層、第２面側に防漏層を有するシート状の吸収性物品であって、第１面側を内側にして二つ折りされているか、又は第１面側を内側にして二つ折りするための二つ折り誘導線を有しており、二つ折りしたときの折り部の長手方向の一端に位置する角部に、該角部の頂点からの距離が相異なる複数の角部折り誘導線を有しており、前記角部を、複数の角部折り誘導線のうちの任意の角部折り誘導線に沿って折り曲げ可能であり、且つ折り曲げた前記角部を、相対向する部位の第２面上に固定する固定手段を備えている、吸収性物品を提供するものである。
【発明の効果】
【００１０】
本発明の吸収性物品によれば、所望の深さや大きさの凹部を有する立体形状に変形させて使用することができる。
【図面の簡単な説明】
【００１１】
【図１】図１は、本発明の吸収性物品の一実施形態を示す図であり、図１（ａ）は、平面状の状態の吸収性物品を第１面側から見た平面図であり、図１（ｂ）は、同状態の吸収性物品を第２面側から見た平面図である。
【図２】図２は、図１に示す吸収性物品を二つ折りにした状態を示す平面図である。
【図３】図３（ａ）〜（ｃ）は、図２に示す吸収性物品における一方の角部を角部折り誘導線に沿って折り曲げて固定した状態を示す平面図であり、図３（ｄ）〜（ｆ）は、図３（ａ）〜（ｃ）に示す吸収性物品を開いて立体形状とした状態を示す斜視図である。
【図４】図４（ａ）は、図２に示す吸収性物品における両方の角部を角部折り誘導線に沿って折り曲げて固定した状態を示す平面図であり、図４（ｂ）は、図４（ａ）に示す吸収性物品を開いて立体形状とした状態を示す斜視図である。
【図５】図５は、図１（ｂ）のＶ−Ｖ線断面を厚みを誇張して示す断面図である。
【図６】図６は、本発明の吸収性物品の製造方法の一例の説明図である。
【図７】図７は、本発明の吸収性物品の製造方法の他の例を示す図である。
【図８】図８は、本発明の吸収性物品の他の実施形態を示す図１（ａ）相当図である。
【図９】図９は、本発明の吸収性物品の更に他の実施形態を示す図１（ａ）相当図である。
【発明を実施するための形態】
【００１２】
以下、本発明をその好ましい実施形態に基づいて説明する。
図１〜図５には、本発明の吸収性物品の一実施形態である吸収性物品１（以下「吸収性物品１」ともいう）が示されている。吸収性物品１は、シート状の形態を有し、図１及び図５に示すように、第１面１１及び第２面１２を有している。図５においては、吸収性物品１の厚みを実際より誇張して示してある。
第１面１１及び第２面１２は、シート状の吸収性物品１の厚み方向の両端に位置し、第１面１１は、吸収性物品１の着用時に着用者の肌に近い側に位置し、第２面１２は、吸収性物品１の着用時に着用者の肌から遠い側に位置する。
吸収性物品１は、図５に示すように、第１面１１側に吸収層２１を有し、第２面１２側に防漏層２２を有している。吸収層２１は、液透過性の表面材２１ａと着用者の排泄液を吸収する吸収体２１ｂとからなる。防漏層２２は、液不透過性の裏面シート２２ａからなる。裏面シート２２ａの第２面１２側には、吸収性物品１を、パンツ（下着）、ズボン等の衣類に固定するための粘着部５０が配されている。粘着部５０は、粘着剤により形成されている。吸収性物品１の使用前の状態において、粘着部５０は、剥離可能な保護シート２４（図６参照）によって被覆されて保護されていることが好ましい。説明の便宜上、図１、図２及び図５においては、保護シート２４の図示を省略し、図３及び図４においては、保護シートを剥離した後の状態を示した。
【００１３】
吸収性物品１は、図１に示すように、吸収性物品１を二つ折りするための二つ折り誘導線３１を有している。二つ折り誘導線３１は、吸収性物品１を、その位置で折れ曲がり易くする線状の構造（以下「易折曲構造」ともいう）であるか、又は使用者に、その位置で二つ折りすべきことを認識させる目印線（以下「目印線」ともいう）である。易折曲構造としては、ミシン目、スリット、溝、圧搾溝等が挙げられる。易折曲構造は、防漏層２２の防漏機能の低下抑制の観点から、吸収性物品１の第１面１１側に形成されていることが好ましく、また吸収層２１に、防漏層２２に貫通部を形成しないように形成されていることが好ましい。易折曲構造は、表面材２１ａ及び吸収体２１ｂに亘って形成されていても良く、吸収層２１中の吸収体２１ｂのみに形成されていてもよい。
二つ折り誘導線３１としての目印線は、連続線でも破線でも良く、例えば表面材２１ａへの着色線の印刷や着色剤を含むホットメルト接着剤の塗工等により表示される。また易折曲構造の位置を示す目印線を、易折曲構造と重なる位置又は易折曲構造の近傍に、該易折曲構造に沿って表示することも好ましい。
【００１４】
吸収性物品１は、図１に示すように、互いに直交する第１方向Ｘ及び第２方向Ｙを有しており、二つ折り誘導線３１は、吸収性物品１の第２方向Ｙにおける中央部に第１方向Ｘに沿って延びて形成されている。第１方向Ｘは、吸収性物品１の着用時に、着用者の前後方向と概ね一致した状態に配される方向である。着用者の前後方向とは、着用者の腹側から股間を通って背中側に至る方向である。
吸収性物品１は、図１に示すように、第１方向Ｘに沿って延びる互いに平行な一対の第１辺２ｘと、第２方向Ｙに沿って延びる互いに平行な一対の第２辺２ｙとを有する四角形状の平面視形状を有している。吸収性物品１は、第１辺２ｘの長さと第２辺２ｙの長さとが等しい正方形状の平面視形状を有していてもよいし、第１辺２ｘの長さが第２辺２ｙの長さより長い長方形状、又は第１辺２ｘの長さが第２辺２ｙの長さより短い長方形状の平面視形状を有していてもよい。
本発明の吸収性物品の平面視形状は、正方形や長方形等の四角形に限られず、三角形、台形、ひし形、五角形等の四角形以外の多角形状や、四角形やその他の多角形の角部を丸めた形状であってもよく、更に楕円状や、プレイングカード（日本において一般にトランプと呼ばれるもの）におけるハート形状、図８に示すような形状等の多様な形状とすることができる。
【００１５】
吸収性物品１においては、図１に示すように、二つ折り誘導線３１は、第１方向Ｘと平行に形成されているが、二つ折り誘導線３１は、第１方向Ｘに対して角度を有していてもよい。二つ折り誘導線３１と第１方向Ｘとのなす角は、好ましくは４５度以下、より好ましくは３０度以下、更に好ましくは１５度以下である。
吸収性物品１は、二つ折り誘導線３１を対称軸として線対称の平面視形状を有することが好ましい。以下、説明の便宜上、図１において、第１面１１側から平面視した吸収性物品１における二つ折り誘導線３１よりも右側の部分を第１部６１と称し、左側の部分を第２部６２と称する。
吸収性物品１を包装袋に収容する際、吸収性物品１は、図１に示すように、平面状の状態で、包装袋に収容してもよいし、図２に示すように、二つ折り誘導線３１に沿って二つ折りされた状態で、包装袋に収容してもよい。また、二つ折り誘導線３１に沿って二つ折りした後、該二つ折り誘導線に直交する折り線に沿って更に二つ折りした状態で、包装袋に収容してもよい。また包装袋内には、平面状の状態又は折り畳まれた状態の一枚の吸収性物品１を収容してもよいし、平面状の状態又は折り畳まれた状態の吸収性物品１を複数積層した状態で収容してもよい。
【００１６】
吸収性物品１は、図２に示すように、二つ折りしたときの折り部３の長手方向の一端に位置する角部４ａに、複数の角部折り誘導線Ｌａを有している。図２及び図３には、図１に示す平面状の状態の吸収性物品１を、第１面１１側を内側にして、二つ折り誘導線３１に沿って二つ折りした状態が示されており、該吸収性物品１を、第１部６１の第２面１２側から見た状態が示されている。
吸収性物品１は、前述したように、包装袋等に包装された状態において、既に二つ折りされて折り部３が生じているものであっても良い。その場合、「二つ折りしたときの折り部」は、二つ折りにより既に生じている折り部３であり、その折り部３の長手方向の一端又は後端に位置する角部は、その折り部３の長手方向の一端又は他端に位置する角部である。
また吸収性物品１は、包装袋等に包装された状態においては、二つ折りされていない状態であってもよい。その場合、吸収性物品のユーザーが、吸収性物品１を、包装袋から取り出した後に、その吸収性物品１を、二つ折り誘導線３１に沿って二つ折りすることにより折り部３が生じる。吸収性物品のユーザーとは、例えば、吸収性物品１を着用する者やその介護者等の一般消費者である。本発明にいう「二つ折りしたときの折り部」には、吸収性物品のユーザー等が、二つ折り誘導線３１に沿って折り曲げることによって生じる折り部も含まれ、その折り部の長手方向の一端又は他端に位置する角部には、吸収性物品のユーザーが二つ折りすることによって折り部３が生じたときに、その折り部３の長手方向の一端又は他端に生じる角部又は該角部となる部分が含まれる。
このように、本発明における「二つ折りしたときの折り部」及び「角部」には、平面状の状態の吸収性物品１を二つ折りしたときに生じる折り部３及び角部と、既に二つ折りされている吸収性物品１に生じている折り部３及び角部の両者が含まれる。本発明の吸収性物品は、二つ折り誘導線３１を有している必要は必ずしもなく、折り部３は、吸収性物品が、二つ折り誘導線３１の有無を問わず、第１面１１側を内側にして二つ折りされていることによって生じている折り部３であってもよい。
【００１７】
吸収性物品１の角部４ａは、吸収性物品１を、二つ折り誘導線３１に沿って二つ折りしたときの折り部３の長手方向の一端３ａに位置している。折り部３の長手方向の一端３ａに位置する角部４ａは、該一端３ａ付近に頂点４１ａを有する角部である。
吸収性物品１は、角部４ａに、該角部の頂点４１ａからの距離が相異なる複数の角部折り誘導線Ｌａを有している。角部折り誘導線Ｌａが形成されている角部４ａの範囲は、概ね、角部４ａ側の第２辺２Ｙ、折り部３及び角部４ａの頂点４１ａから最も遠い角部折り誘導線Ｌａによって囲まれる略三角形状の範囲である。図３（ｂ）及び図３（ｃ）に示すように、角部折り誘導線Ｌａに沿って折り返される角部４ａの範囲は、該角部折り誘導線Ｌａと、角部４ａ側の第２辺２Ｙと、折り部３とによって画定される。吸収性物品１における複数の角部折り誘導線Ｌａは、二つ折り誘導線３１から、折り部３の長手方向の一端３ａ側の第２辺２ｙに向かって、斜めの直線状に延びている。折り部３の長手方向は、二つ折り誘導線３１の延びる方向と一致している。
【００１８】
吸収性物品１の角部４ａは、第１部６１側の部分と第２部６２側の部分とを有しており、二つ折り状態の吸収性物品１の角部４ａにおいては、第１部６１側の部分と第２部６２側の部分とが相対向している。本発明の吸収性物品における角部折り誘導線Ｌａは、角部４ａを構成する第１部６１及び第２部６２の何れか一方又は両方に設けられている。また角部の頂点４１ａからの距離が相異なる複数の角部折り誘導線Ｌａのうちの一部の角部折り誘導線Ｌａが第１部６１に設けられ、残りの角部折り誘導線Ｌａが第２部６２に設けられていてもよい。
図１（ａ）に示す吸収性物品１においては、角部折り誘導線Ｌａが、第１部６１及び第２部６２の両方に設けられており、第１部６１の複数の角部折り誘導線Ｌａと第２部６２の複数の角部折り誘導線Ｌａとが、二つ折り誘導線３１を対称軸として線対称に設けられている。
【００１９】
角部折り誘導線Ｌａは、第１部６１側の部分と第２部６２側の部分とが重なった状態の角部４ａを、その位置で折れ曲がり易くする線状の構造（以下「角部易折曲構造」ともいう）であるか、又は使用者に、その位置で二つ折りすべきことを認識させる目印線（以下「角部目印線」ともいう）である。
吸収性物品１は、図３に示すように、角部４ａを複数の角部折り誘導線Ｌａのそれぞれに沿って折り曲げ可能となっている。吸収性物品１は、例えば、図３（ａ）に示すように、角部折り誘導線Ｌ３にそって角部４ａを折り曲げることもできるし、図３（ｂ）に示すように、角部折り誘導線Ｌ２にそって角部４ａを折り曲げることもできるし、図３（ｃ）に示すように、角部折り誘導線Ｌ１にそって角部４ａを折り曲げることもできる。このように、吸収性物品１の角部４ａは、複数の角部折り誘導線Ｌａのうちの任意の角部折り誘導線Ｌａに沿って折り曲げ可能となっている。
角部易折曲構造としては、二つ折り誘導線の易折曲構造と同様の、ミシン目、スリット、溝、圧搾溝等が挙げられる。角部易折曲構造も、防漏層２２の防漏機能の低下抑制の観点から、吸収性物品１の第１面１１側に形成されていることが好ましく、また吸収層２１に、防漏層２２に貫通部を形成しないように形成されていることが好ましい。角部易折曲構造は、表面材２１ａ及び吸収体２１ｂに亘って形成されていても良く、吸収層２２中の吸収体２１ｂのみに形成されていてもよい。
角部折り誘導線Ｌａとしての角部目印線は、連続線でも破線でも良く、例えば裏面シート２２ａへの着色線の印刷や着色剤を含むホットメルト接着剤の塗工等により表示される。また、角部易折曲構造の位置を示す角部目印線を、角部易折曲構造と重なる位置又は角部易折曲構造の近傍に、角部易折曲構造に沿って表示することも好ましい。
【００２０】
角部４ａの頂点４１ａからの距離が異なる角部折り誘導線Ｌａの本数は、２本以上であり、より好ましくは３本以上であり、また好ましくは６本以下、より好ましくは５本以下であり、また好ましくは２本以上６本以下、より好ましくは３本以上５本以下である。第１部６１に設けられている角部折り誘導線Ｌａの本数と、第２部６２に設けられている角部折り誘導線Ｌａの本数とは同じであってもよいし、異なっていてもよい。吸収性物品１では、第１部６１及び第２部６２は、それぞれ３本の角部折り誘導線Ｌ１，Ｌ２，Ｌ３を有している。角部の頂点４１ａからの距離が同じ角部折り誘導線Ｌａが、第１部６１と第２部６２とに形成されている場合、それらは角部４ａを折り曲げる際に共通する一つの折り曲げ線として機能するため、纏めて１本の角部折り誘導線Ｌａと数える。
図１に示す吸収性物品１においては、角部４ａにおける複数の角部折り誘導線Ｌａは、互いに平行に形成されている。より具体的には、第１部６１が有する複数の角部折り誘導線Ｌａは互いに平行であり、第２部６２が有する複数の角部折り誘導線Ｌａも互いに平行である。
【００２１】
図１に示す吸収性物品１について、より詳細に説明すると、折り部３の長手方向の一端に位置する角部４ａには、３本の角部折り誘導線Ｌ１，Ｌ２，Ｌ３が設けられており、それら３本の角部折り誘導線Ｌ１，Ｌ２，Ｌ３は、角部４ａの頂点４１ａからの距離Ｄ１，Ｄ２，Ｄ３が相互に異なっている。角部折り誘導線Ｌ１，Ｌ２，Ｌ３のそれぞれについての角部４の頂点４１ａからの距離Ｄ１，Ｄ２，Ｄ３は、例えば、角部４ａの頂点４１ａから、角部折り誘導線Ｌ１，Ｌ２，Ｌ３のそれぞれに下ろした垂線の長さである（図２参照）。３本の角部折り誘導線Ｌ１，Ｌ２，Ｌ３は、角部４ａの頂点４１ａから角部折り誘導線Ｌ３までの距離Ｄ３が最も長く、角部４ａの頂点４１ａから角部折り誘導線Ｌ１までの距離Ｄ１が最も短く、角部４ａの頂点４１ａから角部折り誘導線Ｌ２までの距離Ｄ２は、前記距離Ｄ３と前記距離Ｄ１との間の長さとなっている。
【００２２】
吸収性物品１は、角部折り誘導線Ｌａに沿って折り曲げた角部４ａを、相対向する部位の第２面１２上に固定する固定手段５を備えている。固定手段５としては、角部４ａを、相対向する部位の第２面１２上に固定することができるものであれば特に制限なく用いることができ、例えば、粘着剤、機械的面ファスナー、テープ止め等が挙げられる。固定手段５は、角部４ａの第２面１２上に設けられていてもよいし、角部４ａを折り曲げたときに該角部４ａと対向する部位の第２面１２上に設けられていてもよい。固定手段５は、吸収性物品１の第１部６１及び第２部６２の何れか一方又は両方に設けられていてもよい。固定手段５は、第１部６１及び第２部６２のうち、角部折り誘導線Ｌａが設けられている方に設けられていることが好ましい。
【００２３】
固定手段５は、図２に示すように、吸収性物品１の第２面１２に設けられた粘着部５０の一部により形成されていることが好ましい。粘着部５０は、吸収性物品１の第２面１２に粘着剤を塗布することにより設けられている。粘着部５０は、二つ折り誘導線３１を対称軸として線対称に設けられている。粘着部５０は、図２に示すように、第２部６２における第２面１２に３個設けられている。各粘着部５０は、折り部３の長手方向Ｘに沿って帯状に連続的に設けられている。粘着部５０のうち、最も第１辺２ｘ側に位置する粘着部である粘着部５３を除く粘着部５１，５２は、該粘着部５１，５２の一端部５１ａ，５２ａが角部４ａを折り曲げたときに該角部４ａと対向する部位及び角部４ａまで延在している。吸収性物品１では、前記粘着部５１，５２の一端部５１ａ，５２ａが、角部４ａを固定するための固定手段５となっている。図２に示すように、粘着部５１は、最も折り部３側に位置する粘着部であり、粘着部５２は、粘着部５１と粘着部５３との間に位置する粘着部である。
【００２４】
角部４ａを角部折り誘導線Ｌ３に沿って折り曲げたときは、図３（ａ）に示すように、粘着部５１，５２の一端部５１ａ，５２ａにより、角部４ａが相対向する部位の第２面１２上に固定される。角部４ａを角部折り誘導線Ｌ２に沿って折り曲げたときは、図３（ｂ）に示すように、粘着部５１，５２の一端部５１ａ，５２ａにより、角部４ａが相対向する部位の第２面１２上に固定される。角部４を角部折り誘導線Ｌ１に沿って折り曲げたときは、図３（ｃ）に示すように、粘着部５１の一端部５１ａにより、角部４ａが相対向する部位の第２面１２上に固定される。図３（ａ）及び（ｂ）では、折り曲げられた角部４ａの外側面に設けられた粘着部５０の図示を省略している。
【００２５】
吸収性物品１を二つ折りし、角部４ａを、相対向する部位の第２面１２上に固定したのち（図３（ａ）〜（ｃ）参照）、第１部６１の第１面１１と第２部６２の第１面１１とが離れるように吸収性物品１を開いて立体形状とすることにより、吸収性物品１の第１面１１側に、所望の深さ及び大きさの凹部Ｓが形成される（図３（ｄ）〜（ｆ）参照）。例えば、図３（ａ）に示すように、複数の角部折り誘導線Ｌ１，Ｌ２，Ｌ３から、角部折り誘導線Ｌ３を選択し、角部折り誘導線Ｌ３に沿って角部４ａを折り曲げ、折り曲げた角部４ａを、相対向する部位の第２面１２上に固定することにより、吸収性物品１を、深さが深く、第１方向Ｘの長さが短い凹部Ｓを有する立体形状に変形させることができる。また、図３（ｃ）に示すように、角部折り誘導線Ｌ１を選択して、角部折り誘導線Ｌ１に沿って角部４ａを折り曲げ、折り曲げた角部４ａを、相対向する部位の第２面１２上に固定することにより、吸収性物品１を、深さが浅く、第１方向Ｘの長い凹部Ｓを有する立体形状に変形させることができる。このように、吸収性物品１によれば、複数の角部折り誘導線Ｌａから、任意の角部折り誘導線を選択して折り曲げた角部４ａを固定することにより、吸収性物品１を立体形状に変形させたときの凹部Ｓの大きさや深さを所望の大きさや深さに調整することができる。これにより、吸収性物品１の着用者は、自身の体型や吸収性物品１の配置位置等に応じて、凹部Ｓの大きさや深さを所望の大きさや深さに調整して使用することができる。例えば、角部折り誘導線Ｌ１を選択して、凹部Ｓの第１方向Ｘの長さを長くすることにより、着用者の股下部から腹側部にかけて、立体形状とした吸収性物品１を装着することができる。
【００２６】
吸収性物品１は、男性の尿吸収用の吸収性物品として適しており、特に軽失禁や排尿後の意図しない少量の尿漏れ対策用の吸収性物品として適している。男性の尿吸収用に使用する場合、凹部Ｓに、男性器の全体又は一部を収容した状態で使用することが、吸収性物品１からの尿の漏れ出し防止や吸収性物品１の配置位置を安定化させる観点から好ましい。また吸収性物品１は、粘着部５１〜５３を介して、パンツ等の衣類の内面に固定して使用することが好ましい。
凹部Ｓを有する立体形状の維持及び肌に接触したときに違和感を与えないようにする柔軟性を確保する観点から、吸収性物品１は、図１に示す平面状の状態における厚みＴ（図５参照）が、好ましくは０．５ｍｍ以上、より好ましくは３ｍｍ以下であり、また好ましくは０．５ｍｍ以上、より好ましくは２ｍｍ以下であり、また好ましくは０．５ｍｍ以上３ｍｍ以下、より好ましくは０．５ｍｍ以上２ｍｍ以下である。
【００２７】
また男性用の尿吸収用の吸収性物品とする場合、男性器を覆って尿漏れが生じにくい吸収性物品１となるようにする観点及び吸収性物品が大きすぎて違和感を生じないようにする観点から、吸収性物品１は、図１に示す平面状の状態において、二つ折り誘導線３１又は折り部３の長手方向に沿う方向の全長が、好ましくは５０ｍｍ以上、より好ましくは２５０ｍｍ以下であり、また好ましくは１００ｍｍ以上、より好ましくは２００ｍｍ以下であり、また好ましくは１２０ｍｍ以上１８０ｍｍ以下、より好ましくは１４０ｍｍ以上１６０ｍｍ以下である。同様の観点から、吸収性物品１は、図１に示す平面状の状態において、二つ折り誘導線３１又は折り部３の長手方向に直交する方向の最大幅が、好ましくは５０ｍｍ以上、より好ましくは２００ｍｍ以下であり、また好ましくは７０ｍｍ以上、より好ましくは１８０ｍｍ以下であり、また好ましくは９０ｍｍ以上１５０ｍｍ以下、より好ましくは１００ｍｍ以上１４０ｍｍ以下である。
【００２８】
本実施形態の吸収性物品１においては、図１〜３に示すように、折り部３の長手方向Ｘの他端３ｂに位置する角部４ｂにも、一端３ａに位置する角部４ａにおける角部折り誘導線Ｌａ及び固定手段５と同様の、複数の角部折り誘導線Ｌｂ及び固定手段５が設けられている。すなわち、折り部３の長手方向の他端３ｂに位置する角部４ｂは、該他端３ｂ付近に頂点４１ｂを有する角部４ｂであり、吸収性物品１は、その角部４ｂにも、該角部４ｂの頂点４１ｂからの距離が相異なる複数の角部折り誘導線Ｌｂを有している。また吸収性物品１は、複数の角部折り誘導線Ｌｂのうちの任意の角部折り誘導線Ｌｂに沿って折り曲げた角部４ｂを、相対向する部位の第２面１２上に固定する固定手段５を備えている。
【００２９】
他端３ｂに位置する角部４ｂにおける、角部折り誘導線Ｌｂ及び固定手段５について説明するが、特に説明しない点については、好ましい構成を含めて、一端３ａに位置する角部４ａの角部折り誘導線Ｌａ及び固定手段５についての説明が適宜適用される。
吸収性物品１における複数の角部折り誘導線Ｌｂは、二つ折り誘導線３１から、折り部３の長手方向の他端３ｂ側の第２辺２ｙに向かって、斜めの直線状に延びている。
他端３ｂ側の角部折り誘導線Ｌｂ及び固定手段５は、一端３ａ側の角部折り誘導線Ｌａ及び固定手段５と、吸収性物品１の全長を第１方向Ｘに２等分する中心線Ｃを対称軸として、線対称であってもよいし、線対称でなくてもよい。図１に示す例では、一端３ａ側の角部折り誘導線Ｌａと他端３ｂ側の角部折り誘導線Ｌｂとは、中心線Ｃを対称軸として線対称ではない。
【００３０】
角部４ｂの頂点４１ｂからの距離が異なる角部折り誘導線Ｌｂの本数は、特に制限されるものではないが、好ましくは２本以上、より好ましくは３本以上であり、また好ましくは６本以下、より好ましくは５本以下であり、また好ましくは１本以上４本以下、より好ましくは２本以上３本以下である。角部４ｂの頂点４１ｂからの距離が同じ角部折り誘導線Ｌｂが、第１部６１と第２部６２とに形成されている場合、それらは角部４ｂを折り曲げる際に共通する一つの折り曲げ線として機能するため、纏めて１本の角部折り誘導線Ｌｂと数える。
【００３１】
図１に示す吸収性物品１について、より詳細に説明すると、角部４ｂには、２本の角部折り誘導線Ｌ４，Ｌ５が設けられており、それら２本の角部折り誘導線Ｌ４，Ｌ５は、角部４ｂの頂点４１ｂからの距離Ｄ４，Ｄ５が相互に異なっている。角部折り誘導線Ｌ４，Ｌ５のそれぞれについての角部４の頂点４１ｂからの距離Ｄ４，Ｄ５は、例えば、角部４ｂの頂点４１ｂから、角部折り誘導線Ｌ４，Ｌ５のそれぞれに下ろした垂線の長さである（図２参照）。吸収性物品１においては、角部４ｂの頂点４１ｂから角部折り誘導線Ｌ５までの距離Ｄ５の方が、角部４ｂの頂点４１ｂから角部折り誘導線Ｌ４までの距離Ｄ４よりも長い。
【００３２】
角部４ｂを固定するための固定手段５は、粘着部５０の一部により形成されていてもよいし、粘着部５０とは別体として形成されていてもよいが、製品の加工性の観点から、粘着部５０の一部により形成されていることが好ましい。
吸収性物品１では、角部４ｂを固定するための固定手段５は、角部４ａを固定するための固定手段５と同様に、吸収性物品１の第２面に設けられた粘着部５０の一部により形成されている。吸収性物品１では、粘着部５１の他端部５１ｂが、角部４ｂを折り曲げたときに該角部４ｂと対向する部位及び角部４ｂまで延在しており、粘着部５１の他端部５１ｂが、角部４ｂを固定するための固定手段５となっている。例えば、角部４ｂを角部折り誘導線Ｌ５に沿って折り曲げたときは、図４（ａ）に示すように、粘着部５１の他端部５１ｂにより、角部４ｂが相対向する部位の第２面１２上に固定される。角部４ａを固定するための固定手段５と、角部４ｂを固定するための固定手段５とは同一であってもよいし、異なっていてもよい。角部４ａを固定するための固定手段５と同様に、角部４ｂを固定するための固定手段５として、機械的面ファスナー、テープ止め等の粘着部以外の固定手段を設けてもよい。
【００３３】
折り部３の長手方向Ｘの他端３ｂに位置する角部４ｂにも、一端３ａに位置する角部４ａにおけるのと同様の、複数の角部折り誘導線Ｌｂ及び固定手段５が設けられていることにより、折り曲げて固定する角部を、角部４ａ及び角部４ｂの一方とするか、あるいは双方とするかを任意に選択することができ、立体形状とした吸収性物品１に形成される凹部Ｓを、より多様な深さや大きさのものとすることができる。
また一端３ａに位置する角部４ａと他端３ｂに位置する角部４ｂとに同様の間隔や配置の角部折り誘導線を形成した場合は、使用する際に、折り部３の長手方向の一端の角部４ａと他端の角部４ｂとを区別することなく、いずれか一方を折り曲げて使用することができ、使用時に上下を判別せずに速やかに使用できる等の利点もある。
また一端３ａに位置する角部４ａと他端３ｂに位置する角部４ｂとに、異なる間隔や配置の角部折り誘導線を形成した場合は、使用する際に、所望の形状の立体形状となり易い方の角部を選択し、その角部を折り曲げて使用することもできる。
このように、折り部３の長手方向Ｘの両端に位置する角部４ａ，４ｂに、角部折り誘導線Ｌｂ及び固定手段５を設けることにより、より多様な深さや大きさの凹部Ｓを生じさせることが可能となり、男性器の向きや大きさ、吸収性物品１の配置位置等に応じた、より適切な形状に変形させて使用することができる。
【００３４】
吸収性物品１において、前記他端３ｂに位置する角部４ｂにおける角部折り誘導線Ｌｂは、前記一端３ａに位置する角部４ａにおける角部折り誘導線Ｌａに比して、それぞれの角部４ａ，４ｂの頂点４１ａ，４１ｂから、該頂点４１ａ，４１ｂから最も離れた角部折り誘導線Ｌａ，Ｌｂまでの距離が短いことが好ましい。つまり、角部４ｂの頂点４１ｂから角部折り誘導線Ｌ５までの距離Ｄ５が、角部４ａの頂点４１ａから角部折り誘導線Ｌ３までの距離Ｄ３よりも短いことが好ましい。前記距離Ｄ５が、前記距離Ｄ３よりも短いと、吸収性物品１を立体形状に変形させたときに、該吸収性物品１の前記一端３ａ側の立体の形成角度よりも前記他端３ｂ側の立体の形成角度が緩やかとなり、該吸収性物品１の体への追従性が向上する等の効果が奏される。
【００３５】
前記一端３ａ間側の立体の形成角度よりも前記他端３ｂ側の立体の形成角度が緩やかとなり、吸収性物品１の体への追従性が向上するという前述した効果がより確実に奏されるようにする観点から、前記他端３ｂに位置する角部４ｂの頂点４１ｂから、該頂点４１ｂから最も離れた角部折り誘導線Ｌｂまでの距離Ｄ５の、前記一端３ａに位置する角部４ａの頂点４１ａから、該頂点４１ａから最も離れた角部折り誘導線Ｌａまでの距離Ｄ３に対する比であるＤ５／Ｄ３は、好ましくは１／５以上、より好ましくは１／４以上であり、また好ましくは１／１以下、より好ましくは１／２以下であり、また好ましくは１／５以上１／１以下、より好ましくは１／４以上１／２以下である。
【００３６】
前記一端３ａに位置する角部４ａの頂点４１ａから、該頂点４１ａから最も離れた角部折り誘導線Ｌａまでの距離Ｄ３は、ある程度の深さを有する凹部Ｓを形成して、男性器等の身体に対するフィット性や液漏れ防止性を高める観点から、好ましくは１ｃｍ以上、より好ましくは２ｃｍ以上であり、また好ましくは５ｃｍ以下、より好ましくは３ｃｍ以下であり、また好ましくは１ｃｍ以上５ｃｍ以下、より好ましくは２ｃｍ以上３ｃｍ以下である。
【００３７】
本実施形態の吸収性物品１のように、角部４ａが有する複数の角部折り誘導線Ｌａが互いに平行である場合、角部折り誘導線Ｌａどうしの間隔Ｐａは一定であることが好ましい。具体的には、角部折り誘導線Ｌ１と角部折り誘導線Ｌ２との間の間隔Ｐａ１と、角部折り誘導線Ｌ２と角部折り誘導線Ｌ３との間の間隔Ｐａ２とが等しくなっていることが好ましい。吸収性物品１では、角部４ｂが有する複数の角部折り誘導線Ｌｂは、互いに平行であることが好ましい。吸収性物品１が３本以上の角部折り誘導線Ｌｂを有しているときは、角部折り誘導線Ｌｂどうしの間隔Ｐｂは一定であることが好ましい。
【００３８】
吸収性物品１は、角部折り誘導線Ｌｂどうしの間隔Ｐｂが、角部折り誘導線Ｌａどうしの間隔Ｐａよりも狭いことが好ましい。角部折り誘導線Ｌｂどうしの間隔Ｐｂとは、隣り合う角部折り誘導線Ｌｂどうしの間隔Ｐｂのうち、最も広い間隔を隣り合う角部折り誘導線Ｌｂどうしの間隔Ｐｂを意味する。角部折り誘導線Ｌａどうしの間隔Ｐａとは、隣り合う角部折り誘導線Ｌａどうしの間隔Ｐａのうち、最も広い間隔を隣り合う角部折り誘導線Ｌａどうしの間隔Ｐａを意味する。前記間隔Ｐｂが前記間隔Ｐａよりも狭いと、例えば、吸収性物品１を立体形状に変形させたときに、該吸収性物品１の前記一端３ａ側の立体の形成角度よりも前記他端３ｂ側の立体の形成角度が緩やかとなり、該吸収性物品１の体への追従性が向上する等の利点がある。
【００３９】
角部折り誘導線Ｌｂどうしの間隔Ｐｂの、角部折り誘導線Ｌａどうしの間隔Ｐａに対する比であるＰｂ／Ｐａは、吸収性物品１を立体形状に変形させたときに、該吸収性物品１の前記一端３ａ側の立体の形成角度よりも前記他端３ｂ側の立体の形成角度が緩やかになるようにし、該吸収性物品１の体への追従性を向上させる観点から、好ましくは１．１以上、より好ましくは１．２以上であり、また好ましくは３以下、より好ましくは２以下であり、また好ましくは１．１以上３以下、より好ましくは１．２以上２以下である。
【００４０】
角部折り誘導線Ｌａどうしの間隔Ｐａは、吸収性物品１を立体形状に変形させたときに、前記一端３ａ側の立体の形成角度よりも前記他端３ｂ側の立体の形成角度が緩やかになり易くし、該吸収性物品１の体への追従性を向上させ易くする観点から、好ましくは２ｃｍ以上、より好ましくは３ｃｍ以上であり、また好ましくは９ｃｍ以下、より好ましくは８ｃｍ以下であり、また好ましくは２ｃｍ以上９ｃｍ以下、より好ましくは３ｃｍ以上８ｃｍ以下である。
【００４１】
角部折り誘導線Ｌｂどうしの間隔Ｐｂは、吸収性物品１を立体形状に変形させたときに、前記一端３ａ側の立体の形成角度よりも前記他端３ｂ側の立体の形成角度が緩やかになり易くし、該吸収性物品１の体への追従性を向上させ易くする観点から、好ましくは２ｃｍ以上、より好ましくは３ｃｍ以上であり、また好ましくは７ｃｍ以下、より好ましくは６ｃｍ以下であり、また好ましくは２ｃｍ以上７ｃｍ以下、より好ましくは３ｃｍ以上６ｃｍ以下である。
【００４２】
吸収性物品１では、角部折り誘導線Ｌｂの折り部３に対する傾斜角度βが、角部折り誘導線Ｌａの折り部３に対する傾斜角度αよりも小さいことが好ましい。角部折り誘導線Ｌｂの折り部３に対する傾斜角度βとは、複数の角部折り誘導線Ｌｂの折り部３に対する傾斜角度βのうち、最も大きい傾斜角度を角部折り誘導線Ｌｂの折り部３に対する傾斜角度βを意味する。角部折り誘導線Ｌａの折り部３に対する傾斜角度αとは、複数の角部折り誘導線Ｌａの折り部３に対する傾斜角度αのうち、最も大きい傾斜角度を角部折り誘導線Ｌａの折り部３に対する傾斜角度αを意味する。前記傾斜角度βが前記傾斜角度αよりも小さいと、例えば、吸収性物品１を立体形状に変形させたときに、該吸収性物品１の前記一端３ａ側の立体の形成角度よりも前記他端３ｂ側の立体の形成角度が緩やかとなり、該吸収性物品１の体への追従性が向上する等の利点がある。
【００４３】
角部折り誘導線Ｌｂの折り部３に対する傾斜角度βの、角部折り誘導線Ｌａの折り部３に対する傾斜角度αに対する比であるβ／αは、吸収性物品１を立体形状に変形させたときに、該吸収性物品１の前記一端３ａ側の立体の形成角度よりも前記他端３ｂ側の立体の形成角度が緩やかになるようにし、該吸収性物品１の体への追従性を向上させる観点から、好ましくは０．５以上、より好ましくは０．６以上であり、また好ましくは０．９以下、より好ましくは０．８以下であり、また好ましくは０．５以上０．９以下、より好ましくは０．６以上０．８以下である。
【００４４】
角部折り誘導線Ｌｂの折り部３に対する傾斜角度βは、吸収性物品１を立体形状に変形させたときに、該吸収性物品１の前記一端３ａ側の立体の形成角度よりも前記他端３ｂ側の立体の形成角度が緩やかになり易くし、該吸収性物品１の体への追従性を向上させ易くする観点から、好ましくは１０度以上、より好ましくは１５度以上であり、また好ましくは３５度以下、より好ましくは３０度以下であり、また好ましくは１０度以上３５度以下、より好ましくは１５度以上３０度以下である。
【００４５】
角部折り誘導線Ｌａの折り部３に対する傾斜角度αは、吸収性物品１を立体形状に変形させたときに、該吸収性物品１の前記一端３ａ側の立体の形成角度よりも前記他端３ｂ側の立体の形成角度が緩やかになり易くし、該吸収性物品１の体への追従性を向上させ易くする観点から、好ましくは１５度以上、より好ましくは２０度以上であり、また好ましくは６０度以下、より好ましくは５０度以下であり、また好ましくは１５度以上６０度以下、より好ましくは２０度以上５０度以下である。
【００４６】
吸収性物品１は、着用する際に、折り部３の長手方向Ｘの一端３ａ側を着用者の腹側に近い側に配してもよいし、他端３ｂ側を着用者の腹側に近い側に配してもよいが、吸収性物品１を立体形状に変形させたときに、該吸収性物品１の前記一端３ａ側の立体の形成角度よりも前記他端３ｂ側の立体の形成角度が緩やかとなり、該吸収性物品１の体への追従性が向上する観点から、一端３ａ側よりも他端３ｂ側を着用者の腹側に近い側に配することが好ましい。
【００４７】
角部折り誘導線Ｌａ，Ｌｂに沿って折り曲げた角部４ａ，４ｂを、相対向する部位の第２面１２上に固定する固定手段５は、粘着部５０と同一の粘着剤により形成された粘着部であってもよいし、粘着部５０とは異なる粘着剤により形成された粘着部であってもよいが、製品の加工性の観点から、吸収性物品１のように、粘着部５０と同一の粘着剤により形成された粘着部であることが好ましい。
【００４８】
また固定手段５は、粘着部５０と連続していてもよいし、不連続であってもよいが、製品の加工性の観点から、吸収性物品１のように、粘着部５０と連続していることが好ましい。
【００４９】
次に、吸収性物品１を構成する材料について説明する。
吸収性物品１の表面材２１ａ、吸収体２１ｂ及び裏面シート２２ａの形成材料としては、それぞれ、生理用ナプキンやパンティライナー等の吸収性物品の表面材、吸収体、裏面シートとして従来使用されている各種公知の材料を特に制限なく使用することができる。
例えば、表面材２１ａとしては、単層又は多層の不織布、穿孔フィルム等を用いることができる。吸収体２１ｂとしては、親水性繊維から形成された不織布、親水性繊維の積繊体、親水性繊維と高吸収性ポリマーとの混合積繊体等が挙げられる。親水性繊維としては、親水化処理により親水化した合成繊維や、元々親水性である合成繊維、パルプ繊維等のセルロース系繊維等が挙げられる。裏面シート２２ａとしては、樹脂フィルム等が挙げられる。裏面シート２２ａは、樹脂フィルムの非肌対向面に不織布を積層した積層材等であっても良い。また吸収層２１は、表面材２１ａと吸収体２１ｂとに区分されてない吸収性の発泡体等であってよい。
【００５０】
吸収性物品１の第２面１２に配されている粘着部５０を構成する粘着剤としては、ホットメルト接着剤、両面テープ等を用いることができる。
【００５１】
吸収性物品１の製造方法の一例について図６を参照しつつ説明する。
まず、原反ロール２１ｂＲから、エアレイド不織布からなる帯状の吸収体２１ｂを繰り出し、互いに対向する加工ロール７１とアンビルロール７２との間に供給し、該帯状の吸収体２１ｂにエンボス加工又はミシン目加工を施して、該吸収体２１ｂに二つ折り誘導線３１及び角部折り誘導線Ｌａ，Ｌｂを形成する。尚、互いに対向する加工ロール７１とアンビルロール７２とを２組備え、二つ折り誘導線３１及び角部折り誘導線Ｌａ，Ｌｂをそれぞれ独立して形成してもよい。そして、二つ折り誘導線３１及び角部折り誘導線Ｌａ，Ｌｂが形成された帯状の吸収体２１ｂを、原反ロール２１ａＲから繰り出されたエアスルー不織布からなる帯状の表面材２１ａと原反ロール２２ａＲから繰り出された透湿性の樹脂フィルムからなる帯状の裏面シート２２ａとの間に挟み込み、帯状の表面材２１ａ、帯状の吸収体２１ｂ及び帯状の裏面シート２２ａをこの順で積層し貼り合わせ、吸収性物品連続体１ａを製造する。表面材２１ａと吸収体２１ｂとの間、及び吸収体２１ｂと裏面シート２２ａとの間は、例えばホットメルト接着剤２３により貼り合わせることができる（図５参照）。次に、塗布装置７３により、吸収性物品連続体１ａの第２面１２に粘着剤を塗布し粘着部５０を形成する。そして、原反ロール２４Ｒから繰り出された保護シート２４を、吸収性物品連続体１ａの第２面１２側に貼り合わせ、粘着部５０を被覆する。その後、吸収性物品連続体１ａを、互いに対向するカッターロール７４とアンビルロール７５との間に供給し、切断することにより、表面材２１ａがエアスルー不織布、吸収体２１ｂがエアレイド不織布、裏面シート２２ａが透湿性の樹脂フィルムからなる吸収性物品１が製造される。
【００５２】
図６に示す吸収性物品１の製造方法では、吸収性物品１における吸収体２１ｂとなるエアレイド不織布にのみ角部折り誘導線Ｌａ，Ｌｂを形成しているが、図７に示すように、表面材２１ａとなるエアスルー不織布及び吸収体２１ｂとなるエアレイド不織布の両方に角部折り誘導線Ｌａ，Ｌｂを形成してもよい。具体的には、まず、原反ロール２１ｂＲから繰り出されたエアレイド不織布と、原反ロール２１ａＲから繰り出されたエアスルー不織布とを積層し貼り合わせ、吸収層連続体２１Ａを製造する。そして、吸収層連続体２１Ａを、互いに対向する加工ロール７１とアンビルロール７２との間に供給し、該吸収層連続体２１Ａにエンボス加工又はミシン目加工を施して、該吸収層連続体２１Ａに二つ折り誘導線３１及び角部折り誘導線Ｌａ，Ｌｂを形成する。次に、吸収層連続体２１Ａにおける吸収体２１ｂ側の面に透湿性の樹脂フィルムからなる帯状の裏面シート２２ａを貼り合わせ、吸収性物品連続体１ａを製造する。その後の工程は、図６に示す吸収性物品１の製造方法と同様にして、吸収性物品１を製造することができる（図示せず）。
【００５３】
本発明の吸収性物品は、上述した実施形態に制限されず、適宜変更可能である。
例えば、上述した実施形態の吸収性物品１は、折り部３の長手方向の両端の角部４ａ，４ｂそれぞれに角部折り誘導線Ｌａ，Ｌｂを有していたが、折り部３の長手方向の一端の角部４ａのみに角部折り誘導線Ｌａを有していてもよい。
【００５４】
また上述した実施形態の吸収性物品１は、平面状の状態の平面視形状が四角形状であり、折り部３の一端側と他端側とで第２方向の長さが同じであったが、図８に示すように、折り部３の長手方向Ｘの一端３ａ側における幅方向Ｙの長さが、他端３ｂ側における幅方向Ｙの長さに比して大きい形状であってもよい。より具体的には、図８に示すように、吸収性物品１における第２方向Ｙの長さが最大となる部分が、吸収性物品１の全長を第１方向Ｘに２等分する中心線Ｃよりも、折り部３の長手方向Ｘの一端３ａ側に位置していてもよい。吸収性物品１が、折り部３の長手方向Ｘの一端３ａ側の幅方向Ｙの長さが他端３ｂ側の幅方向Ｙの長さに比して大きい形状を有し、その幅が大きい方の一端３ａ側に角部折り誘導線Ｌａ及び固定手段を有すると、該一端３ａ側に、男性器等を包み込むような大きな凹部Ｓを形成することができ、尿漏れを一層効果的に抑制することができる。
【００５５】
また吸収性物品１では、粘着部５０は帯状に連続的に設けられているが、粘着部５０は、間欠的に設けられていてもよいし、吸収性物品１の第２面１２の全面に亘って設けられていてもよい。また吸収性物品１は、粘着部５０を有しないものであってもよい。その場合、固定手段５は別に設けられる。
【００５６】
また吸収性物品１は、着用時の吸収性物品１の向きを示す表示を有していてもよい。例えば、吸収性物品１の着用時に着用者の腹側寄りに位置する部分に、着用時に着用者の腹側に位置する部分であることを示す表示を有していてもよい。また、吸収性物品１の着用時に着用者の背中寄りに位置する部分に、着用時に着用者の背側に位置する部分であることを示す表示を有していてもよい。着用時の吸収性物品１の向きを示す表示は、吸収性物品１の着用時に着用者の腹側及び腹側に位置する部分の何れか一方又は両方に設けられていてもよい。着用時の吸収性物品１の向きを示す表示は、吸収性物品１の第１面１１及び第２面１２の何れか一方又は両方に設けられていてもよい。着用時の吸収性物品１の向きを示す表示は、吸収性物品１に印字された文字、図形、模様、等であってもよいし、着用時の吸収性物品１の向きを示す印に指等で触れたときに認識できるように、吸収性物品１に、例えば、エンボス加工等を施すことにより形成されたものであってもよい。
【００５７】
また着用時の吸収性物品１の向きを示す表示は、吸収性物品１が中心線Ｃを対称軸として線対称でない場合に、該吸収性物品１に形成されていることが特に好ましい。また着用時の吸収性物品１の向きを示す表示は、中心線Ｃを対称軸として線対称である吸収性物品１に形成されていてもよい。
【００５８】
また、吸収性物品１は、前記一端３ａ側又は前記他端３ｂ側に、着用時に着用者の腹側に位置する部分であることを示す表示を有していてもよいが、前記他端３ｂ側に、着用時に着用者の腹側に位置する部分であることを示す表示を有していることが好ましい。
吸収性物品１は、前記他端３ｂ側に、着用時に着用者の腹側に位置する部分であることを示す表示を有していることにより、着用者が吸収性物品１における腹側に位置する部分を判別し易くなり、吸収性物品１を適切な向きで装着し易くすることができる。
第１部６１が有する複数の角部折り誘導線Ｌａは互いに平行であってもよいし、平行でなくてもよい。第２部６２が有する複数の角部折り誘導線Ｌａも、第１部６１と同様に、互いに平行であってもよいし、平行でなくてもよい。
【００５９】
図１及び図２に示す吸収性物品１は、折り部３の長手方向の一端３ａに位置する角部４ａにおける複数の角部折り誘導線Ｌａどうしが互いに平行であり、また折り部３の長手方向の他端３ｂに位置する角部４ｂにおける角部折り誘導線Ｌｂどうしも互いに平行であったが、それに代えて、前記角部４ａ及び前記角部４ｂの一方又は双方における角部折り誘導線Ｌ１又はＬｂどうしを非平行とすることもできる。図９に、前記角部４ａにおける複数の角部折り誘導線Ｌａどうしが平行でない場合の一例を示す。図９に示すように、複数の角部折り誘導線Ｌａ（Ｌ１〜Ｌ３）が、角部４ａの頂点４１ａからの距離が遠くなるにつれて、角部折り誘導線Ｌａの折り部３に対する傾斜角度αが大きくなることが、吸収性物品１を立体形状に変形させたときの凹部Ｓの大きさや深さを所望の大きさや深さに調整し易くする観点から好ましい。また図９に示す例においては、折り部３の長手方向の他端３ｂに位置する角部４ｂにおける角部折り誘導線Ｌｂどうしが平行であるが、複数の角部折り誘導線Ｌｂの全体を無くしたり、複数の角部折り誘導線Ｌｂを、角部折り誘導線Ｌａと同様に、角部４ｂの頂点４１ｂからの距離が遠くなるにつれて、角部折り誘導線Ｌｂの折り部３に対する傾斜角度が大きくなるように配してもよい。
【符号の説明】
【００６０】
１  吸収性物品
１１  第１面
１２  第２面
２１  吸収層
２２  防漏層
３  折り部
３１  二つ折り誘導線
４ａ，４ｂ  角部
４１ａ，４１ｂ  角部の頂点
５  固定手段
５０  粘着部
Ｌａ，Ｌｂ  角部折り誘導線
Ｘ  第１方向（折り部の長手方向）
Ｙ  第２方向
Ｓ  凹部
【図１】
2020171439.tif 000003
【図２】
2020171439.tif 000004
【図３】
2020171439.tif 000005
【図４】
2020171439.tif 000006
【図５】
2020171439.tif 000007
【図６】
2020171439.tif 000008
【図７】
2020171439.tif 000009
【図８】
2020171439.tif 000010
【図９】
2020171439.tif 000011